(57)【要約】【課題】  集塵ダスト中の未反応薬剤の有効利用を図ると共に、分級処理は不要にする。【解決手段】  バグフィルタ１のガス入口２に接続された入口側煙道３には、消石灰２０を供給する薬剤供給ノズル４と、循環物供給ノズル５を設ける。バグフィルタ１のダスト排出口６は、分配装置２１を介して流動層装置７のダスト入口２６に接続する。流動層装置７の出口８は、循環ライン９を介して循環物供給ノズル５に接続する。バグフィルタ１から排出された集塵ダスト１９は、一部を流動層装置７へ供給し、流動層内で粉砕して、未反応の消石灰を露出させる。未反応の消石灰２０を含むダスト粉砕物１９ａは、流動用空気３３と共に循環物供給ノズル５へ循環させて、入口側煙道３を流通する燃焼排ガス１７中に吹き込んで酸性ガスの吸収に用いる。【選択図】図１
2018040499.tif 000002
【特許請求の範囲】
【請求項１】
集塵機と、
前記集塵機のガス入口に接続されて該ガス入口に燃焼排ガスを導く入口側煙道と、
前記入口側煙道に設けられた薬剤供給ノズルおよび循環物供給ノズルと、
前記集塵機から集塵ダストを排出するダスト排出口に接続された流動層装置と、
前記流動層装置の出口を前記循環物供給ノズルに接続する循環ラインと、を備えること
を特徴とする排ガス処理装置。
【請求項２】
前記流動層装置は、
容器と、
前記容器内で流動媒体を流動用空気により流動化させた流動層と、
前記容器内に集塵ダストを供給するダスト入口と、
前記容器内から前記流動用空気を排出する出口とを備え、
更に、前記ダスト入口から供給される集塵ダストを流動層内で粉砕してダスト粉砕物とし、該ダスト粉砕物は前記流動用空気の流れにより搬送して前記出口より排出する機能を備える
請求項１記載の排ガス処理装置。
【請求項３】
前記流動層装置は、前記流動層内の前記流動媒体に、前記ダスト入口から供給される前記集塵ダストが落下する位置では前記流動媒体が下降し、該位置から離れた位置では前記流動媒体が上昇する回流を発生させる機能を備える
請求項２記載の排ガス処理装置。
【発明の詳細な説明】
【技術分野】
【０００１】
本発明は、廃棄物焼却炉などの燃焼装置から排出される燃焼排ガス中の酸性ガスを中和すると共に集塵処理する排ガス処理装置に関するものである。
【背景技術】
【０００２】
廃棄物焼却炉から排出される燃焼排ガスには、煤塵（飛灰）のほかに、塩化水素（ＨＣｌ）や硫黄酸化物（ＳＯＸ）などの酸性ガスが含まれている。なお、酸性ガスは有害ガス成分ともいわれる。
【０００３】
この種の酸性ガスを燃焼排ガス中から除去する手法としては、燃焼排ガス中に消石灰を粉末の状態で供給した後、燃焼排ガスを集塵機に導いて集塵処理する手法が広く行われている。この手法では、燃焼排ガス中の酸性ガスは、消石灰と反応して塩を形成することで消石灰に吸収され、その後、酸性ガスを吸収した消石灰が、集塵機で煤塵と共に捕集されることで、燃焼排ガス中からの酸性ガスの除去が行われる。
【０００４】
ところで、廃棄物焼却炉では、燃焼排ガスの量に変動が生じることがあると共に、焼却される廃棄物の性状に応じて燃焼排ガス中の酸性ガスの割合が変化することがある。そのため、一般に、消石灰は、燃焼排ガス中に含まれると想定される酸性ガスに対する当量比よりも過剰となる量、たとえば２倍量で、燃焼排ガスに供給されている。そのため、集塵機から排出される集塵ダストは、燃焼排ガスに供給された消石灰のうちのある割合の消石灰が未反応のままで含まれている。
【０００５】
そこで、集塵ダストに含まれる未反応の消石灰を有効利用するための手法の一つとしては、集塵機から排出される集塵ダストを微粉分級機にかけて、未反応の消石灰を、飛灰および反応済みの消石灰との平均粒径の差に基づいて分別し、この分別された未反応の消石灰を燃焼排ガス中に循環供給することが従来提案されている（たとえば、特許文献１参照）。
【先行技術文献】
【特許文献】
【０００６】
【特許文献１】特開平２００１−２１９０３０号公報
【発明の概要】
【発明が解決しようとする課題】
【０００７】
ところが、特許文献１に示されたものでは、未反応の消石灰を分別するために、７μｍ程度の区分粒径による分級を行う必要がある。しかも、特許文献１に示されたものでは、未反応の消石灰、反応済みの消石灰、および、飛灰という粒子密度などの物性の異なる粒子の混合物である集塵ダストから、未反応の消石灰を、粒径のみを基準として分別する必要がある。
【０００８】
そのため、特許文献１に示されたものは、使用可能な消石灰が、飛灰や反応済みの消石灰と分級により分別可能な平均粒径を有するものに限定されると共に、精密な分級を行う機能を備えた微粉分級機が必要とされる。
【０００９】
そこで、本発明は、集塵機から排出される集塵ダストに含まれる消石灰などの酸性ガス除去用の薬剤の未反応分について有効利用を図ることができ、且つ分級機による集塵ダストの分級処理を要しない排ガス処理装置を提供しようとするものである。
【課題を解決するための手段】
【００１０】
本発明は、前記課題を解決するために、集塵機と、前記集塵機のガス入口に接続されて該ガス入口に燃焼排ガスを導く入口側煙道と、前記入口側煙道に設けられた薬剤供給ノズルおよび循環物供給ノズルと、前記集塵機から集塵ダストを排出するダスト排出口に接続された流動層装置と、前記流動層装置の出口を前記循環物供給ノズルに接続する循環ラインと、を備える構成を有する排ガス処理装置とする。
【００１１】
前記流動層装置は、容器と、前記容器内で流動媒体を流動用空気により流動化させた流動層と、前記容器内に集塵ダストを供給するダスト入口と、前記容器内から前記流動用空気を排出する出口とを備え、更に、前記ダスト入口から供給される集塵ダストを流動層内で粉砕してダスト粉砕物とし、該ダスト粉砕物は前記流動用空気の流れにより搬送して前記出口より排出する機能を備える構成としてある。
【００１２】
前記流動層装置は、前記流動層内の前記流動媒体に、前記ダスト入口から供給される前記集塵ダストが落下する位置では前記流動媒体が下降し、該位置から離れた位置では前記流動媒体が上昇する回流を発生させる機能を備える構成としてある。
【発明の効果】
【００１３】
本発明の排ガス処理装置によれば、集塵機から排出される集塵ダストに含まれる酸性ガス除去用の薬剤の未反応分について有効利用を図ることができる。且つ、前記薬剤の有効利用を図る際、分級機による集塵ダストの分級処理は不要にできる。
【図面の簡単な説明】
【００１４】
【図１】排ガス処理装置の実施形態を示す概略図である。
【図２】図１における流動層装置を拡大して示す図である。
【発明を実施するための形態】
【００１５】
以下、本発明の排ガス処理装置について、図面を参照して説明する。
【００１６】
図１は排ガス処理装置の実施形態を示す一部切断概略側面図である。図２は、図１におおける流動層装置を拡大して示す切断側面図である。
【００１７】
本実施形態の排ガス処理装置は、図１に示すように、集塵機としてのバグフィルタ１と、バグフィルタ１のガス入口２に接続された入口側煙道３と、入口側煙道３に設けられた薬剤供給ノズル４および循環物供給ノズル５と、バグフィルタ１のダスト排出口６に接続された流動層装置７と、流動層装置７の出口８を循環物供給ノズル５に接続する循環ライン９と、を備えた構成とされている。
【００１８】
バグフィルタ１は、矩形断面で上下方向に延び、下部をホッパ形状とした筒状の容器１０を備える。容器１０は、下部寄りの側部にガス入口２を備え、上端部の側部にガス出口１１を備えている。容器１０の底部には、たとえば、スクリューコンベヤ形式のダスト排出装置１２を備え、このダスト排出装置１２の送り先側の下方に、ダスト排出口６が設けられている。
【００１９】
容器１０内の上部でガス出口１１よりも下方となる位置には、複数のろ布取付孔１４を開口させたセルプレート１３が気密に取り付けてある。セルプレート１３の各ろ布取付孔１４には、円筒形状とした細長い袋状のろ布１５を下方から外周側へ被せて保持させたリテーナ（図示せず）の上端部がそれぞれ支持されている。これにより、各リテーナおよび各ろ布１５は、セルプレート１３の下方に吊下配置され、この状態で、各ろ布１５の上端開口部が、それぞれ対応する各ろ布取付孔１４を介してセルプレート１３の上方の空間に連通している。更に、容器１０内のセルプレート１３の上方位置には、各ろ布１５の逆洗に用いる逆洗装置１６が備えられている。
【００２０】
ガス入口２に接続された入口側煙道３は、廃棄物焼却炉のような図示しない燃焼装置から排出される燃焼排ガス１７をガス入口２へ導くものである。
【００２１】
ガス出口１１には、出口側煙道１８が接続され、出口側煙道１８の下流側に、誘引通風機などの図示しない下流側の機器が接続されている。
【００２２】
これにより、バグフィルタ１では、入口側煙道３からガス入口２を経て容器１０内に流入する燃焼排ガス１７は、各ろ布１５を外側から内側へ通過してからガス出口１１へ向かう流れとなる。このため、燃焼排ガス１７中に含まれている煤塵などの固体粒子（図示せず）は、各ろ布１５により捕集される。したがって、燃焼排ガス１７は、各ろ布１５に捕集された固体粒子が除去されることで清浄化され、この清浄化された排ガス１７ａが、ガス出口１１より出口側煙道１８へ排出される。
【００２３】
バグフィルタ１では、各ろ布１５による燃焼排ガス１７中の固体粒子を捕集する処理を継続して行うと、各ろ布１５の外面側には、捕集された固体粒子が堆積する。そこで、バグフィルタ１では、圧力損失が過大になることを防ぐために、定期的に、あるいは、設定された運転時間ごとに、逆洗装置１６による各ろ布１５の逆洗処理を行って、各ろ布１５の外面に付着した堆積物を払い落とすようにしてある。各ろ布１５から自然に脱落するか、あるいは、逆洗処理により払い落とされて容器１０の内底部に落下した固形物は、ダスト排出装置１２によりダスト排出口６へ送られて、ダスト排出口６から集塵ダスト１９として排出される。
【００２４】
薬剤供給ノズル４は、入口側煙道３にて、ガス入口２から設定された距離で上流側に離れた個所に設けられている。
【００２５】
薬剤供給ノズル４は、酸性ガス除去用の薬剤として、たとえば、消石灰２０を、入口側煙道３内に供給する機能を備えている。なお、薬剤供給ノズル４は、消石灰２０を搬送気体の流れに乗せて噴射する形式のものであることが好ましい。この形式の薬剤供給ノズル４によれば、入口側煙道３内をバグフィルタ１のガス入口２に向けて流通する燃焼排ガス１７中に、消石灰２０を、分散性を高めた状態で供給することができる。これにより、消石灰２０は、燃焼排ガス１７中に含まれる酸性ガスとの接触を効率よく行わせることができる。
【００２６】
燃焼排ガス１７中に分散された消石灰２０は、燃焼排ガス１７の流れによりバグフィルタ１へ搬送されると共に、バグフィルタ１では、図示しない煤塵と共に各ろ布１５により捕集される。したがって、ダスト排出口６より排出される集塵ダスト１９は、煤塵に加えて、消石灰２０を含んだものとなっている。
【００２７】
なお、本実施形態では、薬剤供給ノズル４から供給する消石灰２０は、燃焼排ガス１７中に含まれると想定される酸性ガスに対する当量比よりも設定された割合で過剰となる量で供給するようにする。このため、集塵ダスト１９に含まれる消石灰２０は、酸性ガスを吸収した反応済みのものと、未反応分とを含んだものとなっている。
【００２８】
なお、薬剤供給ノズル４は、入口側煙道３を流通する燃焼排ガス１７に対して消石灰２０を分散させながら供給することができれば、搬送気体を用いて消石灰２０を噴射する形式以外の任意の形式のものを採用してもよいことは勿論である。
【００２９】
ダスト排出口６には、分配装置２１の入口２２が接続されている。
【００３０】
分配装置２１は、２つの出口２３，２４を備え、第１の出口２３が灰処理装置２５に接続され、第２の出口２４が流動層装置７のダスト入口２６に接続されている。更に、分配装置２１は、入口２２を通してバグフィルタ１のダスト排出口６から受け入れる集塵ダスト１９を、設定された割合で第１の出口２３と第２の出口２４とに分配する機能を備えている。この分配装置２１における集塵ダスト１９の分配は、たとえば、分配装置２１の内部に備えた図示しない弁やフラップなどの切替手段の動作により、第１の出口２３が入口２２に連通する状態と、第２の出口２４が入口２２に連通する状態とを、設定された時間間隔で切り替えるようにすればよい。
【００３１】
なお、分配装置２１における集塵ダスト１９の第１の出口２３と第２の出口２４への分配は、前記した時間による切り替え以外の手法で行ってもよいことは勿論である。図示しないが、一例としては、分配装置２１は、入口２２から第１の出口２３に向かって移動する集塵ダスト１９から、ある一定量の集塵ダスト１９を分取して第２の出口２４へ送る手段を備える構成としてもよい。また、別の例としては、分配装置２１は、入口２２から集塵ダスト１９を導く通路の下流側に各出口２３，２４に連通する２つの分岐通路を備え、該各分岐通路の断面積が設定された比となる構成を備えていてもよい。
【００３２】
また、分配装置２１から第２の出口２４を経て流動層装置７へ送る集塵ダスト１９は、流動層装置７で後述する処理を行った後、循環ライン９と循環物供給ノズル５を経て入口側煙道３を流通する燃焼排ガス１７に供給されるものとなる。この点に鑑みて、分配装置２１で第２の出口２４側、すなわち、流動層装置７側へ分配する集塵ダスト１９の量は、流動層装置７の容量や、入口側煙道３を流通する燃焼排ガス１７の流量や流速に応じて定めるようにすればよい。
【００３３】
分配装置２１の第１の出口２３から排出される集塵ダスト１９は、灰処理装置２５へ送られる。灰処理装置２５では、重金属の固定など、従来の集塵ダスト処理と同様の処理を行うようにしてある。
【００３４】
本実施形態では、流動層装置７は、たとえば、図２に示すような構成とされている。
【００３５】
流動層装置７は、上下方向に延びる筒状の容器２７を備える。容器２７の上端側の一側寄り位置（図２では右側寄り位置）には、ダスト入口２６が設けられ、このダスト入口２６が、分配装置２１の第２の出口２４に接続されている。よって、本実施形態の流動層装置７では、集塵ダスト１９が、ダスト入口２６から容器２７内の一側寄り位置へ落下供給される。なお、図示しないが、ダスト入口２６には、たとえば、二重ダンパーなど、容器２７内側からの空気の逆流を防止しながら集塵ダスト１９を供給するための手段が備えられている。
【００３６】
容器２７の上端側におけるダスト入口２６とは離反する位置、たとえば、他側寄り位置（図２では左側寄り位置）には、出口８が設けられている。このように出口８をダスト入口２６と離して設けるのは、容器２７内では空気が出口８に向けて流れるので、その気流の影響で、ダスト入口２６から落下供給される集塵ダスト１９が後述する流動層７ａに達する前に吹き飛ばされないようにするためである。したがって、ダスト入口２６から落下供給される集塵ダスト１９が、容器２７内で出口８に向かう空気の流れの影響を受け難くすることができれば、ダスト入口２６と出口８の配置は、たとえば、一方または双方を容器２７の側壁の上端寄り位置に配置するなど、図２に示した以外の配置としてもよい。
【００３７】
容器２７内の下部寄り位置には、分散板２８が上側と下側の空間を仕切るように取り付けられている。分散板２８は、アルミナボールや砂などの固体粒子である流動媒体２９の通過は阻止する一方、空気は通過可能な多孔質板または多孔板により形成されている。なお、分散板２８は、流動媒体２９の重量を支持可能な強度を備えるか、あるいは、流動媒体２９の重量を支持可能な図示しない梁状の支持部材によって支持された構成とされている。
【００３８】
容器２７内における分散板２８の上側には、流動媒体２９が、設定された厚みの層を形成するように充填されている。
【００３９】
容器２７の下端側における分散板２８の下側には、風箱３０が設けられている。風箱３０は、ダスト入口２６から供給される集塵ダスト１９が落下する位置の下方から、該落下位置から離反する側にかけて、すなわち、本実施形態では、容器２７の一側寄りから他側寄りにかけて、たとえば、３つに仕切られた分割区画３１ａ，３１ｂ，３１ｃを備えている。
【００４０】
各分割区画３１ａ，３１ｂ，３１ｃには、空気ライン３２が個別に接続されている。各空気ライン３２の上流側は、一本に集合させた状態で流動用空気３３の送風機３４の出口側に接続されている。更に、空気ライン３２には、各分割区画３１ａ，３１ｂ，３１ｃに供給する流動用空気３３の流量を個別に調整する流量調整弁３５ａ，３５ｂ，３５ｃが設けられている。
【００４１】
流動層装置７を使用する場合は、送風機３４を運転して、送風機３４より送出される流動用空気３３を、空気ライン３２を経て風箱３０の各分割区画３１ａ，３１ｂ，３１ｃに供給し、各分割区画３１ａ，３１ｂ，３１ｃから分散板２８を通して上向きに噴出させる。これにより、分散板２８の上側の流動媒体２９の層には、流動用空気３３が下方から上向きに吹き込まれるようになるため、流動媒体２９の流動化が生じ、容器２７内における分散板２８の上側の領域に流動層７ａが形成される。
【００４２】
更に、流動層装置７では、流動層７ａ内の流動媒体２９に、図２に矢印Ｘで示すように、ダスト入口２６から供給される集塵ダスト１９が落下する位置では流動媒体２９が下降し、該位置から離れた位置では流動媒体２９が上昇する回流が生じるようにしている。
【００４３】
この回流を生じさせるために、本実施形態では、分割区画３１ａから上向きに噴出させる流動用空気３３の流量および流速を基準として、分割区画３１ｂから上向きに噴出させる流動用空気３３の流量および流速と、分割区画３１ｃから上向きに噴出させる流動用空気３３の流量および流速が順次大となるように、各分割区画３１ａ，３１ｂ，３１ｃへの流動用空気３３の供給量が流量調整弁３５ａ，３５ｂ，３５ｃにより調整されている。これにより、流動層７ａでは、分割区画３１ａの上方に位置する流動媒体２９、分割区画３１ｂの上方に位置する流動媒体２９、分割区画３１ｃの上方に位置する流動媒体２９の順に吹き込まれる流動用空気３３の量が多くなり、吹き込まれる流動用空気３３の量が多い領域の流動媒体２９ほど見かけ上の密度が小さくなる。したがって、流動層７ａでは、この見かけ上の密度差に基づいて、分割区画３１ａの上方に位置する流動媒体２９は下方に移動し、分割区画３１ｃの上方に位置する流動媒体２９は上方に移動するようになる。
【００４４】
このように、流動層７ａにて矢印Ｘで示すような流動媒体２９の回流が生じている状態では、ダスト入口２６から供給される集塵ダスト１９が流動層７ａに落下すると、その位置では、流動媒体２９の下向きの移動が生じているため、たとえ集塵ダスト１９の密度が流動媒体２９の密度よりも小さいとしても、流動媒体２９の移動に同伴させて集塵ダスト１９を流動層７ａの内部に取り込ませることができる。
【００４５】
流動層７ａでは、流動媒体２９同士の衝突や、流動媒体２９の容器２７の壁面に対する衝突が高頻度で生じているため、流動層７ａに取り込まれた集塵ダスト１９は、流動媒体２９同士の間や、流動媒体２９と容器２７の壁面との間で粉砕される。
【００４６】
ところで、バグフィルタ１（図１参照）では、ろ布１５に付着した堆積物を逆洗により払い落としてダスト排出口６から集塵ダスト１９として取り出すと、煤塵と、未反応の消石灰と、反応済みの消石灰などの粒子同士が互いに付着して、フレーク状などの凝集体を形成していることがある。流動層７ａでは、集塵ダスト１９に含まれる前記のような凝集体を粉砕することができるため、未反応の消石灰２０を外部に露出させることができる。
【００４７】
更に、集塵ダスト１９には、たとえば、酸性ガスと反応して外側に塩が形成されている反応済みの消石灰が含まれていることがあるが、流動層７ａでは、このような反応済み消石灰２０の粒子を粉砕して内部の未反応の部分を新たに露出させることができる。
【００４８】
集塵ダスト１９が流動層７ａで粉砕されて、より粒径が小さいダスト粉砕物１９ａになり、流動用空気３３が出口８に向けて流れる気流によって搬送されるようになると、そのダスト粉砕物１９ａは、流動用空気３３と共に出口８から排出される。
【００４９】
なお、送風機３４の吸入側は、出口側煙道１８に排ガス吸入ライン３６を介して接続された構成とすることが好ましい。この構成によれば、流動用空気３３としては、バグフィルタ１を通過して清浄化された後の排ガス１７ａを循環させて利用することができる。したがって、流動用空気３３の供給源や、流動用空気３３にごみなどが混入しないようにするフィルタなどは必要がなく、また、出口側煙道１８の下流側へ送られる排ガス１７ａの量が流動用空気３３の分、増加することもない。
【００５０】
更に、燃焼排ガス１７中に含まれていた酸性ガスのうち、消石灰２０による吸収では除去しきれなかった酸性ガスが排ガス１７ａに残留していたとしても、流動用空気３３として循環される分の排ガス１７ａに含まれる酸性ガスについては、流動層装置７にて、流動層７ａ内で粉砕されて露出される未反応の消石灰２０と効率よく接触させて、吸収させることができる。よって、この流動用空気３３として利用される分の排ガス１７ａについては、酸性ガスの更なる除去を図ることができる。
【００５１】
流動層装置７の出口８より流動用空気３３と共に排出されたダスト粉砕物１９ａは、循環ライン９を経て循環物供給ノズル５へ送られ、循環物供給ノズル５から、入口側煙道３を流通する燃焼排ガス１７中に吹き込まれる。これにより、ダスト粉砕物１９ａに含まれている未反応の消石灰２０や、反応済みの消石灰２０が粉砕処理されて新たに露出された未反応部分では、燃焼排ガス１７中の酸性ガスの吸収が行われる。
【００５２】
このように、本実施形態の排ガス処理装置によれば、バグフィルタ１から排出される集塵ダスト１９に含まれている未反応の消石灰２０の一部を、燃焼排ガス１７中の酸性ガスの吸収に有効利用することができる。更に、集塵ダスト１９に含まれている反応済みの消石灰２０であっても、粉砕して未反応の部分を新たに露出できるものであれば、それを燃焼排ガス１７中の酸性ガスの吸収に有効利用することができる。
【００５３】
また、本実施形態の排ガス処理装置では、流動層装置７を備えることで、集塵ダスト１９を粉砕する機能と、未反応の消石灰２０や消石灰２０の未反応部分が露出された状態で含まれるダスト粉砕物１９ａを、未粉砕の集塵ダスト１９や粉砕処理が十分に行われていないものから分離して、入口側煙道３の循環物供給ノズル５へ送る機能とを得ることができる。
【００５４】
したがって、本実施形態の排ガス処理装置では、バグフィルタ１から排出される集塵ダスト１９は、所定の量を流動層装置７へ供給するのみでよいため、未反応の消石灰２０を粒径を基準として分級機で分級する処理を必要としない。よって、本実施形態の排ガス処理装置は、特許文献１に示されたような分級機は不要である。
【００５５】
また、一般的な粉砕機は、回転軸などの機械的な回転部分を有することが多いため、集塵ダスト１９のような塩を含む処理対象を粉砕処理する場合は、回転部分に塩が付着し潮解して腐食を発生する虞がないように、回転部分を保護する粉体シールのような特殊な構造を必要とする。これに対し、本実施形態にて、集塵ダスト１９の粉砕を行う流動層装置７は、集塵ダスト１９やダスト粉砕物１９ａが接する部分には、機械的な回転部分はもとより、機械的な可動部も有しないものであるため、前記粉体シールのような特殊な構造を必要とすることはない。
【００５６】
なお、本発明は、前記実施形態にのみ限定されるものではなく、バグフィルタ１と分配装置２１と流動層装置７の寸法や、それぞれの寸法比は、図示するための便宜上のものであり、実際の寸法を反映したものではない。
【００５７】
また、バグフィルタ１のダスト排出口６から排出される集塵ダスト１９の一部を流動層装置７のダスト入口２６へ供給することができるようにしてあれば、ダスト入口２６の上流側に集塵ダスト１９を一旦貯留するホッパやビンのような貯留手段を備える構成としてもよい。
【００５８】
図１に示した各機器の配置は図示するための便宜上のものであり、実際の配置を反映したものではない。
【００５９】
流動層装置７は、流動層７ａ内に、ダスト入口２６から供給される集塵ダスト１９が落下する位置では流動媒体２９が下降し、該位置から離れた位置では流動媒体２９が上昇する回流が生じるようにしてあれば、風箱３０にて流動用空気流量や流速に差を生じさせるための分割区画の数は、２つ、あるいは４つ以上であってもよい。また、流動層７ａでは、集塵ダスト１９が落下供給される位置に応じて、たとえば、容器２７の中央部で流動媒体２９が下降し、外周部で流動媒体２９が上昇する回流や、容器２７の中央部で流動媒体２９が上昇し、外周部で流動媒体２９が下降する回流など、図２に示した以外の配置の回流を生じさせるようにしてもよい。この場合は、発生させる回流の配置に応じて、風箱３０に設ける分割区画の配置を適宜変更すればよい。
【００６０】
また、風箱３０から分散板２８を通して流動媒体２９の層に下方から吹き込む流動用空気３３の流量や流速に差を生じさせる機能は、たとえば、分散板２８に開口率の異なる領域を備える構成とするなど、風箱３０に分割区画３１ａ，３１ｂ，３１ｃを備える構成以外の手段で実現してもよい。
【００６１】
酸性ガス吸収用の薬剤は、消石灰２０を例示したが、たとえば、ナトリウムを含む薬剤など、酸性ガスの吸収に従来使用されている薬剤であれば消石灰以外の薬剤であってもよい。
【００６２】
集塵機は、バグフィルタ１を例示したが、燃焼排ガス１７中の固体粒子を乾式で捕集し、捕集された固体粒子をダスト排出口から集塵ダスト１９として取り出すことができるものであれば、バグフィルタ１以外の集塵機を採用してもよい。
【００６３】
流動用空気３３は、排ガス１７ａを循環して用いることが好ましいが、排ガス１７ａを用いなくてもよい。この場合は、送風機３４の吸入側は流動用空気３３の供給部に接続するようにすればよい。
【００６４】
入口側煙道３に設ける薬剤供給ノズル４と循環物供給ノズル５の配置は、上流側からの順序を図１に示した順序と逆にしてもよい。また、各ノズル４，５は、入口側煙道３に周方向に並べた配置で設けてもよい。
【００６５】
本発明の排ガス処理装置は、入口側煙道３に、活性炭を供給するノズルを備えて、燃焼排ガス１７中に含まれるダイオキシン類などを吸着して除去する機能を備えるようにしてもよい。この構成によれば、集塵ダスト１９に含まれる活性炭は、その一部を流動層装置７で粉砕処理して新たな面を露出させた後、入口側煙道３に循環供給して、燃焼排ガス１７中のダイオキシン類などの吸着に有効利用することが可能になる。
【００６６】
本発明の排ガス処理装置は、酸性ガスを含む可能性がある燃焼排ガス１７であれば、廃棄物焼却炉以外の任意の燃焼装置から排出される燃焼排ガス１７を処理対象としてもよい。
【００６７】
その他、本発明の要旨を逸脱しない範囲内で種々変更を加え得ることは勿論である。
【符号の説明】
【００６８】
１  バグフィルタ（集塵機）
２  ガス入口
３  入口側煙道
４  薬剤供給ノズル
５  循環物供給ノズル
６  ダスト排出口
７  流動層装置
７ａ  流動層
８  出口
９  循環ライン
１７  燃焼排ガス
１９  集塵ダスト
１９ａ  ダスト粉砕物
２６  ダスト入口
２７  容器
２９  流動媒体
３３  流動用空気
【図１】
2018040499.tif 000003
【図２】
2018040499.tif 000004